(57)【要約】  【課題】  複雑な入力操作を必要とせず、記録してある放送番組にタイトルを付加することが可能であり、付加したタイトルに基づいて所望の放送番組を容易に検索することが可能な記録装置及び記録システムを提供する。  【解決手段】  記録再生装置１は、チューナ１４で受信した番組データをファイル単位で記録する。リモコン装置２は、集音部２４で集音した音声に基づく音声データを無線通信で記録再生装置１へ送信し、記録再生装置１は、取得した音声データを文字変換部１６で文字データに変換し、ＨＤＤ１５に記録してある各番組データのファイル名として記録させる。【選択図】      図２
2005277955.tif 000002
【特許請求の範囲】
【請求項１】
放送波の受信部で受信した番組のデータをファイル単位で記録する記録部を備える記録装置において、
集音部と、
該集音部で集音した音声に基づいて音声データを作成する音声データ作成手段と、
該音声データ作成手段が作成した音声データを文字データに変換する文字変換手段と、
該文字変換手段が変換した文字データを前記データのファイル名として前記記録部に記録する処理を行なう記録処理手段と
を備えることを特徴とする記録装置。
【請求項２】
放送波の受信部で受信した番組のデータをファイル単位で記録する記録部を備える記録装置において、
外部から音声データを取得する音声データ取得手段と、
該音声データ取得手段が取得した音声データを文字データに変換する文字変換手段と、
該文字変換手段が変換した文字データを前記データのファイル名として前記記録部に記録する処理を行なう記録処理手段と
を備えることを特徴とする記録装置。
【請求項３】
前記記録部に記録させてあるデータの選択を受け付ける受付手段を備え、
前記記録処理手段は、前記受付手段が選択を受け付けたデータに対応して前記文字変換手段が変換した文字データを、前記データのファイル名として前記記録部に記録する処理を行なうべくなしてあることを特徴とする請求項１又は２に記載の記録装置。
【請求項４】
放送波の受信部で受信した番組のデータをファイル単位で記録する記録部を備える記録装置において、
前記記録部に記録させてあるデータの選択を受け付ける受付手段と、
該受付手段が選択を受け付けたデータのファイル名を音声データに変換する音声変換手段と、
該音声変換手段が変換した音声データを出力する音声データ出力手段と
を備えることを特徴とする記録装置。
【請求項５】
前記記録部に記録させてある番組の画像に係るデータに基づいてサムネイルの画像データを作成するサムネイル画像作成手段と、
該サムネイル画像作成手段が作成したサムネイルの画像データを外部へ出力する画像データ出力手段とを備え、
前記受付手段は、外部へ出力した前記画像データに基づいて、前記記録部に記録させてあるデータの選択を受け付けるように構成してあることを特徴とする請求項３又は４に記載の記録装置。
【請求項６】
放送波の受信部で受信した番組のデータをファイル単位で記録する記録部を有する記録装置と、該記録装置の遠隔操作が可能な遠隔操作機とを備える記録システムにおいて、
前記遠隔操作機は、
集音部と、
該集音部で集音した音声に基づいて音声データを作成する音声データ作成手段と、
該音声データ作成手段が作成した音声データを前記記録装置へ送出する手段とを備え、
前記記録装置は、
前記遠隔操作機が送出した音声データを文字データに変換する文字変換手段と、
該文字変換手段が変換した文字データを前記データのファイル名として前記記録部に記録する処理を行なう記録処理手段とを備えることを特徴とする記録システム。
【請求項７】
放送波の受信部で受信した番組のデータをファイル単位で記録する記録部を有する記録装置と、該記録装置の遠隔操作が可能な遠隔操作機とを備える記録システムにおいて、
前記遠隔操作機は、
集音部と、
該集音部で集音した音声に基づいて音声データを作成する音声データ作成手段と、
該音声データ作成手段が作成した音声データを文字データに変換する文字変換手段と、
該文字変換手段が変換した文字データを前記記録装置へ送出する手段とを備え、
前記記録装置は、
前記遠隔操作機が送出した文字データを前記データのファイル名として前記記録部に記録する処理を行なう記録処理手段とを備えることを特徴とする記録システム。
【請求項８】
前記記録部に記録させてあるデータの選択を受け付ける受付手段を備え、
前記記録処理手段は、前記受付手段が選択を受け付けたデータに対応して前記文字変換手段が変換した文字データを、前記データのファイル名として前記記録部に記録する処理を行なうべくなしてあることを特徴とする請求項６又は７に記載の記録システム。
【請求項９】
前記記録装置は、
前記記録部に記録させてある番組の画像に係るデータに基づいてサムネイルの画像データを作成するサムネイル画像作成手段と、
該サムネイル画像作成手段が作成したサムネイルの画像データを外部へ出力する画像データ出力手段とを備え、
前記受付手段は、外部へ出力した前記画像データに基づいて、前記記録部に記録させてあるデータの選択を受け付けるように構成してあることを特徴とする請求項８に記載の記録システム。
【請求項１０】
装置本体の遠隔操作が可能な遠隔操作機において、
集音部と、
該集音部で集音した音声に基づいて音声データを作成する音声データ作成手段と、
該音声データ作成手段が作成した音声データを外部へ送出する音声データ送出手段と
を備えることを特徴とする遠隔操作機。
【請求項１１】
装置本体の遠隔操作が可能な遠隔操作機において、
集音部と、
該集音部で集音した音声に基づいて音声データを作成する音声データ作成手段と、
該音声データ作成手段が作成した音声データを文字データに変換する文字変換手段と、
該文字変換手段が変換した文字データを外部へ送出する文字データ送出手段と
を備えることを特徴とする遠隔操作機。
【発明の詳細な説明】
【技術分野】
【０００１】
本発明は、放送波の受信部で受信した番組のデータをファイル単位で記録する記録装置、該記録装置を遠隔操作できる遠隔操作機、及び記録システムに関するものである。
【背景技術】
【０００２】
テレビジョン放送による放送番組を受信して記録媒体に記録し、必要に応じて再生する記録再生装置として、記録媒体に磁気テープを用いるビデオカセットレコーダ（ＶＣＲ）が普及している。また、近年では、ＨＤＤ（Hard Disk Drive）に代表される磁気ディスク、ＤＶＤ−ＲＷ（Digital Versatile Disk-ReWritable）及びＤＶＤ−Ｒ（Digital Versatile Disk-Recordable）等の書き込みが可能なＤＶＤに代表される光ディスク等を記録媒体として用いるビデオディスクプレーヤが実用化されている。
【０００３】
これらの記録再生装置においては、ユーザが記録しておいた放送番組を視聴する場合に所望の放送番組を容易に探し出せることが重要である。従って、記録再生装置は、それぞれの放送番組に対応して、放送番組の放送時刻及び放送チャンネル等の番組情報を示したリストを表示させるように構成してあるものがあり、これにより、ユーザは表示されたリストに基づいて所望の放送番組を容易に選択することができる（例えば、特許文献１参照）。
【０００４】
また、上述したようなリストと共に、各放送番組の最初の映像をインデック画像としたサムネイルを表示させる装置も提案されており、このような装置を用いた場合には、ユーザは、各放送番組の番組情報だけでなく、各放送番組のインデックス画像に基づいて所望の番組を容易に選択することができる。
【特許文献１】特開２００３−３２５８２号公報
【発明の開示】
【発明が解決しようとする課題】
【０００５】
しかし、例えばＨＤＤ等の大容量の記録媒体を用いた記録再生装置においては、膨大な数の放送番組の録画が可能であり、上述したようなリストに表示される番組情報が示す各放送番組の放送時刻及び放送チャンネルに基づく場合であっても、所望の番組を検索することは非常に困難である。また、録画された放送番組の最初の映像は、通常はコマーシャルである場合が多く、各放送番組を示すインデックス画像を参照する場合であっても所望の番組を容易に検索することは困難であるという問題がある。
【０００６】
一方、上述した記録再生装置においては、ＨＤＤに録画させた放送番組のタイトルをユーザによって任意に付加できるように構成されている装置がある。このような装置においては、ユーザによって設定できる各種の設定条件毎に対応する設定画面を、例えば接続してあるテレビに順次切り替えて表示させ、各設定画面の指示に従った設定処理を適切に行なわなければならず、不慣れなユーザにとっては非常に煩雑なキー操作となるという問題がある。
【０００７】
また、上述した記録再生装置においては、リモコン入力装置による各種のデータの入力処理が可能に構成されている装置があり、リモコン入力装置が有するボタンのそれぞれに文字を割り当てることによって、記録させる各放送番組のタイトルをユーザが自由に設定できる装置も提供されている。このようなリモコン入力装置では、例えば、放送チャンネルを選択するための１〜１２の数字キーのそれぞれに、仮名文字及び英文字等を割り当てることにより、数字キーの操作によって仮名文字及び英文字の入力を可能としている。
【０００８】
具体的には、「１」を入力するための数字キーに仮名文字の「あ行」を割り当ててある場合、例えば、文字の入力モードを平仮名モードに設定し、「１」の数字キーを３回押下することにより、平仮名の「う」を入力することができる。同様に、「３」を入力するための数字キーに英文字の「Ｄ，Ｅ，Ｆ」を割り当ててある場合、例えば、文字の入力コードを英大文字モードに設定し、「３」の数字キーを２回押下することにより、英大文字の「Ｅ」を入力することができる。
【０００９】
しかし、上述したようなリモコン入力装置では、数字キーのそれぞれに複数の仮名文字及び英文字が割り当ててあり、ユーザは、所望の文字を入力するために同じキーを複数回押下する必要がある。例えば、仮名文字モードにおける「１」のキーの押下によっては、「あ，い，う,え,お,ぁ，ぃ，ぅ，ぇ，ぉ，あ，い…」の順に、数字キー「１」に割り当てられた仮名文字が選択対象となる。従って、ユーザが「う」を所望しているにも関わらず、数字キー「１」を４回押下してしまった場合、再度「う」が選択対象となるまで数字キー「１」を押下し続けなければならず、ユーザによる入力操作の負担が大きいという問題がある。
【００１０】
本発明は斯かる事情に鑑みてなされたものであり、複雑な入力操作を必要とせず、記録してある放送番組にタイトルを付加することが可能な記録装置、記録システム及び遠隔操作機を提供することを目的とする。また、記録してある放送番組を再生させる際に、所望の放送番組を容易に検索することが可能な記録装置、記録システム及び遠隔操作機を提供することを本発明の目的とする。
【課題を解決するための手段】
【００１１】
本発明に係る記録装置は、放送波の受信部で受信した番組のデータをファイル単位で記録する記録部を備える記録装置において、集音部と、該集音部で集音した音声に基づいて音声データを作成する音声データ作成手段と、該音声データ作成手段が作成した音声データを文字データに変換する文字変換手段と、該文字変換手段が変換した文字データを前記データのファイル名として前記記録部に記録する処理を行なう記録処理手段とを備えることを特徴とする。
【００１２】
本発明による場合は、放送波の受信部で受信した番組のデータをファイル単位で記録部に記録する記録装置が、集音部で集音した音声に基づいて音声データを作成し、得られた音声データを文字データに変換して前記データのファイル名として前記記録部に記録する。従って、集音して得られた音声によって、記録部に記録させるデータのファイル名を付加することが可能となる。
【００１３】
本発明に係る記録装置は、放送波の受信部で受信した番組のデータをファイル単位で記録する記録部を備える記録装置において、外部から音声データを取得する音声データ取得手段と、該音声データ取得手段が取得した音声データを文字データに変換する文字変換手段と、該文字変換手段が変換した文字データを前記データのファイル名として前記記録部に記録する処理を行なう記録処理手段とを備えることを特徴とする。
【００１４】
本発明による場合は、放送波の受信部で受信した番組のデータをファイル単位で記録部に記録する記録装置が、外部から音声データを取得し、得られた音声データを文字データに変換して前記データのファイル名として前記記録部に記録する。従って、外部から取得した音声データに基づいて、記録部に記録させるデータのファイル名を付加することが可能となる。
【００１５】
本発明に係る記録装置は、前記記録部に記録させてあるデータの選択を受け付ける受付手段を備え、前記記録処理手段は、前記受付手段が選択を受け付けたデータに対応して前記文字変換手段が変換した文字データを、前記データのファイル名として前記記録部に記録する処理を行なうべくなしてあることを特徴とする。
【００１６】
本発明による場合は、前記記録部に記録させてあるデータの選択を受け付け、選択を受け付けたデータに対応して音声データから変換された文字データを、前記データのファイル名として前記記録部に記録することにより、既に記録部に記録してある所望のデータのファイル名を音声によって任意に付加することが可能となる。
【００１７】
本発明に係る記録装置は、放送波の受信部で受信した番組のデータをファイル単位で記録する記録部を備える記録装置において、前記記録部に記録させてあるデータの選択を受け付ける受付手段と、該受付手段が選択を受け付けたデータのファイル名を音声データに変換する音声変換手段と、該音声変換手段が変換した音声データを出力する音声データ出力手段とを備えることを特徴とする。
【００１８】
本発明による場合は、放送波の受信部で受信した番組のデータをファイル単位で記録部に記録する記録装置が、前記記録部に記録させてあるデータの選択を受け付け、選択を受け付けたデータのファイル名を音声データに変換し、得られた音声データを音声出力する。従って、記録部に記録してあるデータの各ファイル名の音声出力によって、所望のデータの選択処理が容易となる。
【００１９】
本発明に係る記録装置は、前記記録部に記録させてある番組の画像に係るデータに基づいてサムネイルの画像データを作成するサムネイル画像作成手段と、該サムネイル画像作成手段が作成したサムネイルの画像データを外部へ出力する画像データ出力手段とを備え、前記受付手段は、外部へ出力した前記画像データに基づいて、前記記録部に記録させてあるデータの選択を受け付けるように構成してあることを特徴とする。
【００２０】
本発明による場合は、前記記録部に記録させてある番組の画像に係るデータに基づいてサムネイルの画像データを作成し、作成したサムネイルの画像データを外部へ出力する。また、外部へ出力した前記画像データに基づいて、前記記録部に記録させてあるデータの選択を受け付けることにより、外部へ出力したサムネイルの画像データを例えば外部の表示装置に表示させることによって、所望のデータを選択する際に用いることができ、所望のデータの選択処理が容易となる。また、サムネイルの画像データに基づいて選択するデータのファイル名を音声出力させた場合には、所望のファイルの選択処理がより容易となる。
【００２１】
本発明に係る記録システムは、放送波の受信部で受信した番組のデータをファイル単位で記録する記録部を有する記録装置と、該記録装置の遠隔操作が可能な遠隔操作機とを備える記録システムにおいて、前記遠隔操作機は、集音部と、該集音部で集音した音声に基づいて音声データを作成する音声データ作成手段と、該音声データ作成手段が作成した音声データを前記記録装置へ送出する手段とを備え、前記記録装置は、前記遠隔操作機が送出した音声データを文字データに変換する文字変換手段と、該文字変換手段が変換した文字データを前記データのファイル名として前記記録部に記録する処理を行なう記録処理手段とを備えることを特徴とする。
【００２２】
本発明による場合は、放送波の受信部で受信した番組のデータをファイル単位で記録部に記録する記録装置を遠隔操作する遠隔操作機が、集音部で集音した音声に基づいて音声データを作成し、得られた音声データを前記記録装置へ送出する。前記記録装置は、前記遠隔操作機が送出した音声データを文字データに変換して前記データのファイル名として前記記録部に記録することにより、記録装置の記録部に記録させるデータのファイル名を遠隔操作機で集音した音声によって遠隔から付加することが可能となると共に、音声データを文字データに変換する処理を記録装置で行なうため、遠隔操作機による処理負担を軽減することが可能となる。
【００２３】
本発明に係る記録システムは、放送波の受信部で受信した番組のデータをファイル単位で記録する記録部を有する記録装置と、該記録装置の遠隔操作が可能な遠隔操作機とを備える記録システムにおいて、前記遠隔操作機は、集音部と、該集音部で集音した音声に基づいて音声データを作成する音声データ作成手段と、該音声データ作成手段が作成した音声データを文字データに変換する文字変換手段と、該文字変換手段が変換した文字データを前記記録装置へ送出する手段とを備え、前記記録装置は、前記遠隔操作機が送出した文字データを前記データのファイル名として前記記録部に記録する処理を行なう記録処理手段とを備えることを特徴とする。
【００２４】
本発明による場合は、放送波の受信部で受信した番組のデータをファイル単位で記録部に記録する記録装置を遠隔操作する遠隔操作機が、集音部で集音した音声に基づいて音声データを作成し、得られた音声データを文字データに変換して前記記録装置へ送出する。前記記録装置は、前記遠隔操作機が送出した文字データを前記データのファイル名として前記記録部に記録することにより、前記記録装置の記録部に記録させるデータのファイル名を遠隔操作機で集音した音声によって遠隔から付加することが可能となる。
【００２５】
本発明に係る記録システムは、前記記録部に記録させてあるデータの選択を受け付ける受付手段を備え、前記記録処理手段は、前記受付手段が選択を受け付けたデータに対応して前記文字変換手段が変換した文字データを、前記データのファイル名として前記記録部に記録する処理を行なうべくなしてあることを特徴とする。
【００２６】
本発明による場合は、前記記録部に記録させてあるデータの選択を受け付け、選択を受け付けたデータに対応して前記文字変換手段が変換した文字データを、前記データのファイル名として前記記録部に記録することにより、既に記録部に記録してある所望のデータのファイル名を、記録装置を遠隔操作する遠隔操作機が集音した音声によって任意に付加することが可能となる。
【００２７】
本発明に係る記録システムは、前記記録装置は、前記記録部に記録させてある番組の画像に係るデータに基づいてサムネイルの画像データを作成するサムネイル画像作成手段と、該サムネイル画像作成手段が作成したサムネイルの画像データを外部へ出力する画像データ出力手段とを備え、前記受付手段は、外部へ出力した前記画像データに基づいて、前記記録部に記録させてあるデータの選択を受け付けるように構成してあることを特徴とする。
【００２８】
本発明による場合は、前記記録部に記録させてある番組の画像に係るデータに基づいてサムネイルの画像データを作成し、作成したサムネイルの画像データを外部へ出力する。また、外部へ出力した前記画像データに基づいて、前記記録部に記録させてあるデータの選択を受け付けることにより、外部へ出力したサムネイルの画像データを例えば外部の表示装置に表示させることによって、所望のデータを選択する際に用いることができ、所望のデータの選択処理が容易となる。
【００２９】
本発明に係る遠隔操作機は、装置本体の遠隔操作が可能な遠隔操作機において、集音部と、該集音部で集音した音声に基づいて音声データを作成する音声データ作成手段と、該音声データ作成手段が作成した音声データを外部へ送出する音声データ送出手段とを備えることを特徴とする。
【００３０】
本発明による場合は、装置本体の遠隔操作が可能な遠隔操作機が、集音部を備え、集音部で集音した音声に基づいて音声データを作成し、作成した音声データを外部へ出力することにより、装置本体に音声データを入力したい場合に、集音して得られた音声に基づいて装置本体の遠隔から入力することが可能となる。
【００３１】
本発明に係る遠隔操作機は、装置本体の遠隔操作が可能な遠隔操作機において、集音部と、該集音部で集音した音声に基づいて音声データを作成する音声データ作成手段と、該音声データ作成手段が作成した音声データを文字データに変換する文字変換手段と、該文字変換手段が変換した文字データを外部へ送出する文字データ送出手段とを備えることを特徴とする。
【００３２】
本発明による場合は、装置本体の遠隔操作が可能な遠隔操作機が、集音部を備え、集音部で集音した音声に基づいて音声データを作成し、作成した音声データを文字データに変換して外部へ出力することにより、装置本体に文字データを入力したい場合に、集音して得られた音声に基づいて装置本体の遠隔から入力することが可能となる。
【発明の効果】
【００３３】
本発明によれば、放送波の受信部で受信した番組のデータをファイル単位で記録部に記録する記録装置が、集音した音声に基づいて各データのファイル名を付加することにより、複雑なキー操作を必要とせず、ユーザからの音声入力によって各データに任意のファイル名を容易に付加することができる。これにより、ユーザは、各データに付加された任意のファイル名に基づいて、例えば記録してある番組のデータを再生させる際に、所望のデータを容易に検索することができる。また、記録装置は、外部から取得した音声データに基づいても各データのファイル名を付加することができる。
【００３４】
本発明によれば、放送波の受信部で受信した番組のデータをファイル単位で記録部に記録する記録装置を遠隔操作する遠隔操作機が、外部の音声を集音し、集音した音声に基づいて記録装置が記録する各データのファイル名を付加することにより、記録装置の遠隔から、複雑なキー操作を必要とせずユーザからの音声入力によって、前記記録装置が記録する各データに任意のファイル名を容易に付加することができる。また、集音した音声に基づく音声データを文字データに変換する変換処理を記録装置で行なう場合には、遠隔操作部による処理負担を軽減することができる。
【００３５】
本発明によれば、記録部に記録させてあるデータの選択を受け付け、選択を受け付けたデータに対応して音声データから変換された文字データを、前記データのファイル名とすることにより、既に記録部に記録してある所望のデータのファイル名を音声入力によって任意に付加することができる。
【００３６】
本発明によれば、放送波の受信部で受信した番組のデータをファイル単位で記録部に記録する記録装置が、前記記録部に記録させてあるデータの選択を受け付け、選択を受け付けたデータのファイル名を音声データに変換して音声出力することにより、各データのファイル名の音声出力によって所望のファイルの選択処理が容易となる。
【００３７】
本発明によれば、前記記録部に記録させてある番組の画像に係るデータに基づいて作成したサムネイルの画像データを外部へ出力し、例えば外部の表示装置に表示させた場合には、前記記録部に記録させてあるデータからの所望のデータの選択処理が容易となる。また、サムネイルの画像データに基づいて選択するデータのファイル名を音声出力させた場合には、所望のデータの選択処理がより容易となる。
【００３８】
本発明によれば、装置本体の遠隔操作が可能な遠隔操作機が集音した音声に基づく音声データを外部へ出力することにより、装置本体を遠隔操作する場合に音声データを前記装置本体へ入力することができる。また、前記遠隔操作機が、集音した音声に基づく音声データを文字データに変換して外部へ出力することにより、煩雑なキー操作を行なうことなく、装置本体の遠隔から装置本体に文字データを入力することができる。
【発明を実施するための最良の形態】
【００３９】
以下に、本発明をその実施の形態を示す図面に基づいて詳述する。
（実施の形態１）
図１は実施の形態１に係る記録システムの構成例を示す模式図である。本実施の形態の記録システムにおいて、本発明に係る記録装置としての記録再生装置１は、液晶表示テレビジョン装置（以下、液晶テレビという）３に接続して利用され、記録再生装置１が録画した放送番組を液晶テレビ３によって再生させることができる。また、記録システムは、記録再生装置１の遠隔操作が可能な遠隔操作機としてのリモートコントロール入力装置（以下、リモコン装置という）２を備えており、リモコン装置２によって記録再生装置１への各種のデータの入力処理が可能である。
【００４０】
液晶テレビ３は液晶ディスプレイ（ＬＣＤ）で構成された表示部３５を筺体の一面に備えており、記録再生装置１は各種の操作ボタン及びリモコン装置２からの信号を受信する無線通信インタフェース１９を筺体の一面に備えている。液晶テレビ３の表示部３５と、記録再生装置１の各種の操作ボタンの形成面とを視聴者側に向けて配置させることにより、視聴者は液晶テレビ３を見易く、また記録再生装置１を操作し易くなる。
【００４１】
リモコン装置２は、各種の操作ボタンを筺体の一面に備えている。具体的には、リモコン装置２は、タイトルボタン２３ａ、クリアボタン２３ｂ、送信ボタン２３ｃ、カーソルキー２３ｄ、数字キー２３ｅを備えており、これらのボタンの下部に外部の音声を取得する集音部２４を設けてある。
【００４２】
記録再生装置１と液晶テレビ３とは、映像信号用の映像ケーブル及び音声信号用の音声ケーブルによって接続されている。また、記録再生装置１とリモコン装置２とは、例えば、ＩＥＥＥ８０２．１１ｂ規格に準拠した無線ＬＡＮ、赤外線を利用したＩｒＤＡ（Infrared Data Association）規格に従う無線通信、及びBluetooth規格に従う無線通信等の無線通信が可能に接続されている。
【００４３】
図２は実施の形態１に係る記録システムの構成例を示すブロック図である。記録再生装置１は、図２に示すように、制御部１０、ＲＯＭ１１、ＲＡＭ１２、チューナ（受信部）１４、ＨＤＤ（記録部）１５、文字変換部（文字変換手段）１６、音声変換部（音声変換手段）１７、映像ケーブル及び音声ケーブルを介して液晶テレビ３と接続するための接続部１８、リモコン装置２との間で無線通信を行なうための無線通信インタフェース１９等を備えており、夫々はバス１ａを介して相互に接続されている。
【００４４】
制御部１０は、タイマ（図示せず）を有するＣＰＵ（Central Processing Unit ）又はＭＰＵ（Micro Processor Unit）等により構成されており、バス１ａを介して接続される上述したようなハードウェア各部を制御すると共に、ＲＯＭ１１に予め格納されている制御プログラムを適宜ＲＡＭ１２に読み出して実行する。ＲＯＭ１１は、記録再生装置１を本発明に係る記録装置として動作させるために必要な種々の制御プログラムを予め記憶している。ＲＡＭ１２は、ＳＲＡＭ又はフラッシュメモリ等で構成され、制御部１０による制御プログラムの実行時に発生するデータを一時的に記憶する。
【００４５】
制御部１０は操作部１３と接続されている。操作部１３は、記録再生装置１をユーザが操作するために必要な各種のキーを備えており、ユーザにより各キーが操作された場合、操作されたキーに対応した制御信号を制御部１０へ送出し、制御部１０は取得した制御信号に対応した処理を実行する。具体的には、操作部１３は、図１で示すように、「電源」ボタン、「録画」ボタン、「一時停止」ボタン、「停止」ボタン及び「再生」ボタン等を備えており、ユーザは、電源をオンする場合、放送番組を録画する場合、録画処理又は再生処理を一時停止する場合、録画処理又は再生処理を停止する場合、及び録画した放送番組を再生する場合にそれぞれのボタンを操作する。
【００４６】
チューナ１４は、例えばＵＨＦテレビジョン放送信号及びＶＨＦテレビジョン放送信号、ＢＳ放送信号又はＣＳ放送信号等の受信用チューナであり、それぞれ選択された放送チャンネルに応じた放送番組の番組データを、接続されたＨＤＤ１５へ入力する。ＨＤＤ１５は、チューナ１４から入力される番組データを記録するＨＤ（図示せず）を内蔵している。なお、番組データは映像信号及び音声信号により構成されており、各番組データは、ユーザがそれぞれを識別できるように放送日時及び放送チャンネル等の番組情報と共にファイル単位でＨＤＤ１５に記録されている。
【００４７】
文字変換部１６は、アナログの音声データを文字データに変換する。本実施の形態では、後述するようにリモコン装置２が集音部２４を備えており、この集音部２４によって取得したアナログの音声データを記録再生装置１の文字変換部１６で文字データに変換する。音声変換部１７は、文字データをアナログの音声データに変換する。本実施の形態では、ＨＤＤ１５には各放送番組の番組データ及び番組情報と共に、ユーザにより入力されたタイトル（文字データ）も記録してあり、このタイトルの音声出力が要求された場合に、音声変換部１７で音声データに変換する。
【００４８】
液晶テレビ３は、制御部３０、ＲＯＭ３１、ＲＡＭ３２、チューナ３４、表示部３５、スピーカ３６、映像ケーブル及び音声ケーブルを介して記録再生装置１と接続するための接続部３７等を備えており、夫々はバス３ａを介して相互に接続されている。
【００４９】
制御部３０は、ＣＰＵ又はＭＰＵ等により構成されており、バス３ａを介して接続される上述したようなハードウェア各部を制御すると共に、ＲＯＭ３１に予め格納されている制御プログラムを適宜ＲＡＭ３２に読み出して実行する。ＲＡＭ３２は、ＳＲＡＭ又はフラッシュメモリ等で構成され、制御部３０による制御プログラムの実行時に発生するデータを一時的に記憶する。
【００５０】
制御部３０は操作部３３と接続されている。操作部３３は、液晶テレビ３をユーザが操作するために必要な各種のキーを備えており、ユーザにより各キーが操作された場合、操作されたキーに対応した制御信号を制御部３０へ送出し、制御部３０は取得した制御信号に対応した処理を実行する。
【００５１】
チューナ３４は、例えばＵＨＦテレビジョン放送信号及びＶＨＦテレビジョン放送信号、ＢＳ放送信号又はＣＳ放送信号等の受信用チューナであり、それぞれ選択された放送チャンネルに応じた放送番組に含まれる映像を表示部３５へ、音声をスピーカ３６へ入力する。表示部３５は、チューナ３４が受信した放送番組の映像、ユーザに通知すべき情報、記録再生装置１から入力された映像等を表示する。スピーカ３６は、チューナ３４が受信した放送番組の音声、ユーザに通知すべき情報、記録再生装置１から入力された音声データに基づく音声等を出力する音声データ出力部である。
【００５２】
リモコン装置２は、制御部２０、ＲＯＭ２１、ＲＡＭ２２、集音部２４、記録再生装置１との間で無線通信を行なうための無線通信インタフェース２５等を備えており、夫々はバス２ａを介して相互に接続されている。
【００５３】
制御部２０は、ＣＰＵ又はＭＰＵ等により構成されており、バス２ａを介して接続される上述したようなハードウェア各部を制御すると共に、ＲＯＭ２１に予め格納されている制御プログラムを適宜ＲＡＭ２２に読み出して実行する。ＲＡＭ２２は、制御部２０による制御プログラムの実行時に発生するデータを一時的に記憶する。
【００５４】
制御部２０は操作部２３と接続されている。操作部２３は、ユーザが記録再生装置１を遠隔操作するために必要な各種のキーを備えており、ユーザが操作部２３の各キーを操作した場合、操作部２３は、操作されたキーに対応した制御信号を制御部２０へ送出し、制御部２０は取得した制御信号に対応した処理を実行し、または、取得した制御信号を無線通信により記録再生装置１へ転送する。
【００５５】
操作部２３は、図１で示すように、タイトルボタン２３ａ、クリアボタン２３ｂ、送信ボタン２３ｃ、十字キー及び決定キーを有するカーソルキー２３ｄ、１〜１２の数字キー２３ｅ等を備えている。カーソルキー２３ｄは、記録再生装置１における各種のデータ、例えば録画処理の設定を行なう場合に液晶テレビ３の表示部３５に表示される各種のデータを選択する際に用いるキーであり、十字キーを用いて液晶テレビ３の表示部３５に表示されるデータを選択するためのカーソルを移動させ、決定キーの操作によって選択項目を特定することができる。数字キー２３ｅは、１〜１２のそれぞれに割り当てられた放送チャンネルを選択等する際に用いるキーである。
【００５６】
ここで、本実施の形態１の記録再生装置１は、ＨＤＤ１５に記録してある各番組データのファイル名（タイトル）をユーザによって任意に付加することができ、また、このファイル名を音声入力によって入力することができる。「タイトル」ボタン２３ａは、記録再生装置１において記録されている各番組データに任意のファイル名を付加する際に用いるボタンである。ユーザがタイトルボタン２３ａを操作した場合、制御部２０は、対応する所定の制御信号を無線通信インタフェース２５から記録再生装置１へ送信する。
【００５７】
この制御信号を受信した記録再生装置１の制御部１０は、既にＨＤＤ１５に記録してある放送番組の画像に係るデータに基づいてサムネイルの画像データを作成するサムネイル画像作成手段として動作し、ＲＯＭ１１から所定の録画番組リスト表示用データを読み出し、作成したサムネイルの画像データ及び各放送番組を示す番組情報を付加して接続部（画像データ出力手段）１８から液晶テレビ３へ転送する。これにより、液晶テレビ３は、表示部３５に図３に示すような録画番組リストを表示させる。
【００５８】
図３に示す録画番組リストは、ＨＤＤ１５に記録してある放送番組から、任意のタイトルを付加（編集）したい放送番組を選択するための画面であり、それぞれの録画番組を示すサムネイルと番組情報とが表示される。サムネイルは、記録された放送番組の最初の映像または放送開始時刻から所定時間経過後の映像を示しており、番組情報は各放送番組の放送日時及び放送チャンネルを示している。また、録画番組リストには、各放送番組のサムネイル及び番組情報の下部に、ユーザが所望の放送番組のタイトルを編集する際に参照するタイトル編集欄３５ｂが表示されている。
【００５９】
このような録画番組リストにおいてユーザは、リモコン装置２のカーソルキー２３ｄの十字ボタンにより、タイトルを付加したい放送番組を選択して決定ボタンを操作する。ここで、録画再生装置１の制御部１０は、所望の放送番組の選択を受け付ける受付手段として動作しており、決定ボタンが操作された場合、選択された放送番組の番組情報をタイトル編集欄３５ｂに表示させるためのタイトル編集欄表示用データを液晶テレビ３へ転送し、タイトルの入力待ちとなる。図３においては、３５ａで示す放送番組が選択されており、録画番組リスト中のタイトル編集欄３５ｂには、放送番組３５ａの番組情報が表示される。
【００６０】
このときリモコン装置２の制御部２０は、集音部２４によって音声を取得しており、ユーザは、集音部２４に向かって所望のタイトルを発声する。集音部２４は、音声を収集すると共に、収集した音声に基づいてアナログの音声データを作成する音声データ作成として動作し、作成した音声データを出力する。
【００６１】
なお、「クリア」ボタン２３ｂは、ユーザが所望のタイトルを誤って発声した場合に操作するボタンであり、集音部２４による集音処理をやり直すことができる。「送信」ボタン２３ｃは、ユーザが集音部２４に向かって所望のタイトルを発声し終わった後に操作するボタンである。制御部２０は、ユーザにより送信ボタン２３ｃが操作された場合、集音部２４で収集して得られたアナログの音声データを無線通信インタフェース（音声データ送出手段）２５から記録再生装置１へ送信する。
【００６２】
記録再生装置１の制御部１０は、上述したようにリモコン装置２が送信した音声データを無線通信インタフェース（音声データ取得手段）１９から取得した場合、取得したアナログの音声データを文字変換部１６によって文字データに変換し、液晶テレビ３に表示された録画番組リスト中のタイトル欄３５ｃに表示させるためのタイトル表示用データとして液晶テレビ３へ転送する。これにより、液晶テレビ３は、図３に示すように録画番組リストのタイトル編集欄３５ｂのタイトル欄３５ｃに、入力されたタイトルを追加して表示させる。なお、図３においては、「ドラマ」が入力されている。
【００６３】
ユーザは、このタイトル欄３５ｃに表示されたタイトルを確認し、間違いがなければカーソルキー２３ｄの決定ボタンを操作する。リモコン装置２の制御部２０は、決定ボタンが操作された場合対応する所定の制御信号を記録再生装置１へ送信し、記録再生装置１の制御部（記録処理手段）１０は、この制御信号を受信した場合、入力されたタイトル、即ち文字変換部１６で変換した文字データを、ＨＤＤ１５に記録してある対応する番組データのファイル名として記録する処理を行なう。
【００６４】
一方、ユーザは、このタイトル欄３５ｃに表示されたタイトルに間違いを発見した場合にはクリアボタン２３ｂを操作する。リモコン装置２の制御部２０は、クリアボタン２３ｂが操作された場合、対応する所定の制御信号を記録再生装置１へ送信し、記録再生装置１の制御部１０は、この制御信号を受信した場合、液晶テレビ３の表示部３５に表示させている録画番組リストのタイトル欄３５ｃに表示させたタイトルを削除した表示用データを液晶テレビ３へ転送し、編集すべきタイトルのリモコン装置２からの入力待ちとなる。
【００６５】
上述したように、本実施の形態１の記録再生装置１では、ユーザにより選択された放送チャンネルに応じてチューナ１４が出力する放送番組をＨＤＤ１５に記録させることができると共に、ＨＤＤ１５に記録された放送番組のそれぞれにタイトルを付加することができるように構成してあり、図３に示すように、例えば「アニメＡＡ第２話」のような任意のタイトルを付加することができる。また、同様の処理によって、既に付加されている任意のタイトルの編集（修正）も行なうことができる。
【００６６】
更に、本発明の記録再生装置１では、図３の録画番組リストにおいて、ユーザが、リモコン装置２のカーソルキー２３ｄの十字ボタンにより放送番組を選択し、決定ボタンを操作した場合に、制御部１０は、ＨＤＤ１５に記録してある放送番組から所望の放送番組の選択を受け付け、選択を受け付けた放送番組のファイル名（文字データ）をＨＤＤ１５から読み出して音声変換部１７によって音声データに変換して液晶テレビ３のスピーカ３６で音声出力させることができる。
【００６７】
これにより、ユーザは、再生したい放送番組またはタイトルを付加したい放送番組等の所望の放送番組を、各放送番組のタイトルとして記録してある文字データの音声出力に従って容易に検索することが可能となる。なお、記録再生装置１が録画処理を行なった際にそれぞれの放送番組に対応して付加する番組情報（放送日時及び放送チャンネル等）も音声出力するように構成することもできる。
【００６８】
以下に、上述した構成の記録再生装置１のＨＤＤ１５に記録してある各番組データに任意のファイル名を付加する処理について説明する。図４及び図５は実施の形態１の記録再生装置１による放送番組のファイル名の付加処理の手順を示すフローチャートである。記録再生装置１において、ユーザは、ＨＤＤ１５に記録してある放送番組のそれぞれにタイトル（ファイル名）を付加する場合、記録再生装置１を遠隔操作できるリモコン装置２の操作部２３のタイトルボタン２３ａを操作する。
【００６９】
リモコン装置２において、制御部２０は、ユーザによりタイトルボタン２３ａが操作された場合、無線通信インタフェース２５を介して記録再生装置１へ対応する所定の制御信号を送信し（Ｓ１）、ステップＳ４の処理に移行する。リモコン装置２から所定の制御信号を受信した記録再生装置１の制御部１０は、ＲＯＭ１１から所定の録画番組リスト表示用データを読み出し、ＨＤＤ１５に記録してある放送番組を示す番組情報及びサムネイルを付加して接続部１８から液晶テレビ３へ転送する（Ｓ２）。録画番組リスト表示用データを取得した液晶テレビ３の制御部３０は、表示部３５に図３に示すような録画番組リストを表示させる（Ｓ３）。
【００７０】
次にユーザは、液晶テレビ３に表示された録画番組リストを見ながらリモコン装置２のカーソルキー２３ｄの十字ボタンを操作し、録画番組リストに表示された放送番組からタイトルを付加したい所望の放送番組を選択する。制御部２０は、ユーザにより操作される十字ボタンに対応する制御信号を記録再生装置１へ適宜送信し、記録再生装置１の制御部１０は、リモコン装置２から受信する制御信号に従って、録画番組リストにおいて放送番組を指し示すカーソルを移動させた表示用データを液晶テレビ３へ転送する。
【００７１】
また、リモコン装置２の制御部２０は、ユーザによりカーソルキー２３ｄの決定ボタンが操作されたか否かを判断しており（Ｓ４）、決定ボタンが操作されていないと判断した場合（Ｓ４：ＮＯ）、記録再生装置１を介して液晶テレビ３に録画番組リストの表示を続行し、ユーザによる十字ボタンの操作に従った処理を繰り返す。
【００７２】
制御部２０は、ユーザにより決定ボタンが操作されたと判断した場合（Ｓ４：ＹＥＳ）、決定ボタンに対応する所定の制御信号を記録再生装置１へ送信し（Ｓ５）、ステップＳ８の処理に移行する。リモコン装置２から所定の制御信号を受信した記録再生装置１の制御部１０は、受信した制御信号に従って、液晶テレビ３の表示部３５に表示したタイトル編集欄３５ｂにユーザにより選択された放送番組の番組情報を表示させるためのタイトル編集欄表示用データを液晶テレビ３へ転送する（Ｓ６）。タイトル編集欄表示用データを取得した液晶テレビ３の制御部３０は、表示部３５の録画番組リストにおけるタイトル編集欄３５ｂに、ユーザにより選択された放送番組の番組情報を表示させる（Ｓ７）。
【００７３】
なお、ここで、記録再生装置１の制御部１０は、選択された放送番組に対応してＨＤＤ１５に記録してある番組情報、又は既に付加されているタイトルを音声変換部１７によって音声データに変換し、接続部１８から液晶テレビ３へ転送する。液晶テレビ３の制御部３０は、記録再生装置１から取得した音声データをスピーカ３６によって音声出力し、これにより、ユーザは、ステップＳ７で表示部３５に表示させた録画番組リストのタイトル編集欄３５ｂにおける番組情報の参照だけでなく、スピーカ３６による番組情報又はタイトルの音声出力によって、所望の放送番組を特定することができる。
【００７４】
一方、リモコン装置２の制御部２０は、ユーザが選択した放送番組に付加すべく発した音声の集音部２４による集音処理を開始する（Ｓ８）。制御部２０は、送信ボタン２３ｃが操作されたか否かを判断しており（Ｓ９）、送信ボタン２３ｃが操作されていないと判断した場合（Ｓ９：ＮＯ）、クリアボタン２３ｂが操作されたか否かを判断する（Ｓ１０）。制御部２０は、クリアボタン２３ｂが操作されていないと判断した場合（Ｓ１０：ＮＯ）、ステップＳ８の処理に戻り、ユーザにより送信ボタン２３ｃが操作されるまで集音する。また、制御部２０は、クリアボタン２３ｂが操作されたと判断した場合（Ｓ１０：ＹＥＳ）、クリアボタン２３ｂが操作されるまでに取得した音声データを消去し（Ｓ１１）、再度、集音部２４による集音処理を開始する（Ｓ８）。
【００７５】
ステップＳ９で送信ボタン２３ｃが操作されたと判断した場合（Ｓ９：ＹＥＳ）、制御部２０は、集音部２４で集音して得られたアナログの音声データを無線通信インタフェース２５から記録再生装置１へ送信し（Ｓ１２）、ステップＳ１６の処理に移行する。記録再生装置１の制御部１０は、リモコン装置２から受信した音声データを文字変換部１６によって文字データに変換し（Ｓ１３）、得られた文字データを液晶テレビ３の表示部３５に表示したタイトル欄３５ｃに表示させるためのタイトル表示用データを液晶テレビ３へ転送する（Ｓ１４）。液晶テレビ３の制御部３０は、記録再生装置１から取得したタイトル表示用データに基づいて、表示部３５の録画番組リストにおけるタイトル欄３５ｃにタイトルを表示させる（Ｓ１５）。
【００７６】
ユーザは、液晶テレビ３の表示部３５に表示されたタイトルを確認し、間違いがなければカーソルキー２３ｄの決定ボタンを操作し、間違いを発見した場合にはクリアボタン２３ｂを操作する。リモコン装置２の制御部２０は、決定ボタンが操作されたか否かを判断しており（Ｓ１６）、決定ボタンが操作されていないと判断した場合（Ｓ１６：ＮＯ）、クリアボタン２３ｂが操作されたか否かを判断する（Ｓ１７）。制御部２０は、クリアボタン２３ｂが操作されていないと判断した場合（Ｓ１７：ＮＯ）ステップＳ１６の処理に戻り、クリアボタン２３ｂが操作されたと判断した場合（Ｓ１７：ＹＥＳ）、対応する所定の制御信号を記録再生装置１へ送信し（Ｓ１８）、ステップＳ８の処理に戻って再度、集音部２４による集音処理を開始する（Ｓ８）。
【００７７】
クリアボタン２３ｂに対応する所定の制御信号を受信した記録再生装置１の制御部１０は、受信した制御信号に従って、録画番組リストのタイトル欄３５ｃのタイトルを削除して液晶テレビ３の表示部３５に表示させるための表示用データを液晶テレビ３へ転送する（Ｓ１９）。液晶テレビ３の制御部３０は、取得した表示用データに基づいて、タイトル欄３５ｃのタイトルを削除した録画番組リストを表示部３５に表示させる（Ｓ２０）。
【００７８】
リモコン装置２の制御部２０は、ステップＳ１６で決定ボタンが操作されたと判断した場合（Ｓ１６：ＹＥＳ）、対応する所定の制御信号を記録再生装置１へ送信し（Ｓ２１）、記録再生装置１の制御部１０は、受信した制御信号に従って、録画番組リストのタイトル欄３５ｃに表示されたタイトル（文字変換部１６で変換した文字データ）を、ステップＳ４で選択された放送番組の番組データのファイル名として付加してＨＤＤ１５に記録させて（Ｓ２２）処理を終了する。
【００７９】
上述したように、本発明の記録再生装置１では、チューナ１４で取得した放送番組に、ユーザからの音声入力によって任意のタイトルを付加してＨＤＤ１５に記録させることができる。また、ユーザは、このように付加されたタイトルに基づいて、再生したい所望の録画番組を容易に検索することが可能となる。
【００８０】
なお、上述したリモコン装置２の操作部２３の数字キー２３ｅの各キーに仮名文字及び英文字等を割り当てることによって、上述したような音声によるタイトル入力だけでなくキー操作によってもタイトルを入力できるようにしてもよい。また、音声によって入力したタイトルの一部に誤りがある場合に、誤りの箇所のついてのみキー操作によって修正できるようにしてもよい。また、上述した各実施の形態では、記録媒体としてＨＤＤを内蔵した記録再生装置１について説明したが、例えばＶＣＲ、ＤＶＤレコーダ等を備える構成でもよく、複数の記録媒体を備える構成でもよい。
【００８１】
上述した例では、記録再生装置１を遠隔操作するためのリモコン装置２が、タイトルを音声入力するための集音部２４を有する構成について説明したが、記録再生装置１に集音部を設ける構成であってもよく、また、記録再生装置１又は液晶テレビ３が有する音声信号の入力端子にマイクを接続し、このマイクによって音声入力を行なう構成とすることもできる。
【００８２】
また、上述した例では、リモコン装置２にタイトルボタン２３ａを設け、このタイトルボタン２３ａを操作した場合に図３に示す録画番組リストを液晶テレビ３の表示部３５に表示させる構成について説明したが、操作部２３の所定のキーを順次操作することにより、記録再生装置１が有する各種の機能についての設定を行なうための設定画面を必要に応じて順次切り替えて表示させることにより録画番組リストを表示させることもできる。
【００８３】
更に、上述した例では、記録再生装置１のＨＤＤ１５に既に記録してある放送番組のタイトルを音声入力によって付加する構成について説明したが、例えば、録画処理の予約を音声入力によって行なうことも可能である。具体的には、所定の録画設定画面を液晶テレビ３の表示部３５に表示させておき、この録画設定画面の指示に従って、ユーザが例えば「２００４年２月２日  ２１時から２２時まで  ＵＶ６チャンネル」を集音部２４に向かって発声し、この音声を集音部２４で取得し、得られた音声データに基づいて録画予約を行なうこともできる。また、既にＨＤＤ１５に記録してある放送番組に付加するタイトルだけでなく、録画処理を予約する時点で各放送番組にタイトルを付加することもできる。
【００８４】
（実施の形態２）
以下に、実施の形態２に係る記録システムについて説明する。なお、上述した実施の形態１における記録再生装置１、リモコン装置２及び液晶テレビ３と同様の構成を有するものについては、同一の符号を付して説明を省略する。
【００８５】
図６は実施の形態２に係る記録システムの構成例を示す模式図である。本実施の形態２の記録再生装置１は、上述の実施の形態１の記録再生装置１と同様に、映像ケーブル及び音声ケーブルによって液晶テレビ３と接続されており、また、リモコン装置２による遠隔操作が可能に構成されている。本実施の形態２におけるリモコン装置２は、各種の操作ボタンの上部に液晶ディスプレイ（ＬＣＤ）で構成された表示部２７を設けてある。
【００８６】
図７は実施の形態２に係る記録システムの構成例を示すブロック図である。なお、液晶テレビ３については、上述した実施の形態１における液晶テレビ３と全く同様の構成であるため説明を省略する。本実施の形態２の記録再生装置１は、上述した実施の形態１における記録再生装置１と同様の構成であるが、文字変換部１６を備えない。また、本実施の形態２のリモコン装置２は、上述した実施の形態１におけるリモコン装置２と同様の構成に加えて、文字変換部２６及び表示部２７を備えている。
【００８７】
本実施の形態２の記録再生装置１において、ユーザは、ＨＤＤ１５に記録してある放送番組に所望のタイトルを付加したい場合、リモコン装置２の操作部２３のタイトルボタン２３ａを操作する。ユーザがタイトルボタン２３ａを操作した場合、リモコン装置２、記録再生装置１及び液晶テレビ３は実施の形態１で説明した処理と同様の処理を行なって、図３に示すような録画番組リストを液晶テレビ３の表示部３５に表示させる。
【００８８】
またユーザは、同様に、表示された録画番組リストを見ながらリモコン装置２のカーソルキー２３ｄの十字ボタンによりタイトルを付加したい放送番組を選択し、決定ボタンを操作する。これにより、液晶テレビ３の表示部３５の録画番組リストのタイトル編集欄３５ｂに、選択された放送番組の番組情報が表示される。更にユーザは、集音部２４に向かって所望のタイトルを発声する。
【００８９】
ここで、本実施の形態２におけるリモコン装置２の制御部２０は、ユーザにより選択された放送番組に対応して集音部２４で収集して得られたアナログの音声データを、文字変換部２６によって順次文字データに変換し、表示部２７に表示させる。ユーザは、順次表示されていく文字を確認し、誤った文字が表示された場合にはクリアボタン２３ｂを操作する。制御部２０は、クリアボタン２３ｂが操作された場合、既に取得した音声データ及び変換した文字データを消去して集音部２４による集音処理を再度開始させる。
【００９０】
表示部２７に表示された文字に誤りがない場合には、ユーザは、送信ボタン２３ｃを操作し、制御部２０は、表示部２７に表示された文字、即ち、集音部２４で取得して文字変換部２６によって変換された文字データを無線通信インタフェース（文字データ送出手段）２５から記録再生装置１へ送信する。
【００９１】
記録再生装置１の制御部１０は、上述したようにリモコン装置２から受信した文字データを液晶テレビ３へ転送し、図３に示すように、録画番組リストのタイトル編集欄３５ｂのタイトル欄３５ｃに追加して表示させる。ユーザは、このタイトル欄３５ｃに表示されたタイトルを再度確認し、間違いがなければカーソルキー２３ｄの決定ボタンを操作する。リモコン装置２の制御部２０は、決定ボタンが操作された場合、対応する所定の制御信号を記録再生装置１へ送信し、記録再生装置１の制御部１０は、この制御信号を受信した場合、入力されたタイトル（リモコン装置２から受信した文字データ）を、ＨＤＤ１５に記録してある対応する番組データのファイル名として記録する処理を行なう。
【００９２】
上述した構成の記録再生装置１では、音声入力するタイトルをリモコン装置２において文字データに変換し、誤りがないか否かを確認することにより、リモコン装置２から記録再生装置１へのタイトルの送信処理が１回でよいため、データ処理負担が軽減されると共に、タイトルの入力処理時間を短縮することができる。
【００９３】
以下に、上述した構成の記録再生装置１のＨＤＤ１５に記録してある各番組データに任意のファイル名を付加する処理について説明する。図８及び図９は実施の形態２の記録再生装置１による放送番組のファイル名の付加処理の手順を示すフローチャートである。なお、本実施の形態２における記録再生装置１においても、制御部１０は、図３に示す録画番組リスト及び該録画番組リスト中のタイトル編集欄３５ｂを液晶テレビ３の表示部３５に表示させる処理、具体的には、上述の実施の形態１で説明した図４のステップＳ１〜Ｓ７の処理を実行する。従って、液晶テレビ３の表示部３５に録画番組リスト中のタイトル編集欄３５ｂを表示させるまでの処理の説明は省略する。
【００９４】
ユーザは、液晶テレビ３に表示された録画番組リストを見ながら選択した放送番組に付加すべく所望のタイトルを集音部２４に向かって発声する。リモコン装置２の制御部２０は、ユーザが発した音声を集音部２４により集音し、アナログの音声データを取得する（Ｓ３１）。制御部２０は、集音部２４により順次取得する音声データを文字変換部２６によって文字データに変換して表示部２７に表示させる（Ｓ３２）。ユーザは、表示部２７に表示された文字（タイトル）を確認し、間違いがなければ送信ボタン２３ｃを操作し、間違いを発見した場合にはクリアボタン２３ｂを操作する。
【００９５】
リモコン装置２の制御部２０は、クリアボタン２３ｂが操作されたか否かを判断しており（Ｓ３３）、クリアボタン２３ｂが操作されたと判断した場合（Ｓ３３：ＹＥＳ）、クリアボタン２３ｂが操作されるまでに取得した音声データを消去し（Ｓ３４）、再度、集音部２４により音声データを取得する（Ｓ３１）。また、制御部２０は、クリアボタン２３ｂが操作されていないと判断した場合（Ｓ３３：ＮＯ）、送信ボタン２３ｃが操作されたか否かを判断し（Ｓ３５）、送信ボタン２３ｃが操作されていないと判断した場合（Ｓ３５：ＮＯ）ステップＳ３１の処理に戻り、ユーザによりクリアボタン２３ｂ又は送信ボタン２３ｃが操作されるまで音声データを取得する（Ｓ３１）。
【００９６】
制御部２０は、送信ボタン２３ｃが操作されたと判断した場合（Ｓ３５：ＹＥＳ）、集音部２４で取得して文字変換部２６で変換された文字データを無線通信インタフェース２５から記録再生装置１へ送信する（Ｓ３６）。記録再生装置１の制御部１０は、リモコン装置２から受信した文字データを液晶テレビ３の表示部３５に表示したタイトル欄３５ｃに表示させるためのタイトル表示用データを液晶テレビ３へ転送する（Ｓ３７）。液晶テレビ３の制御部３０は、記録再生装置１から取得したタイトル表示用データに基づいて、表示部３５の録画番組リストにおけるタイトル欄３５ｃにタイトルを表示させる（Ｓ３８）。
【００９７】
ユーザは、液晶テレビ３の表示部３５に表示されたタイトルを確認し、間違いがなければカーソルキー２３ｄの決定ボタンを操作し、間違いを発見した場合にはクリアボタン２３ｂを操作する。リモコン装置２の制御部２０は、決定ボタンが操作されたか否かを判断しており（Ｓ３９）、決定ボタンが操作されていないと判断した場合（Ｓ３９：ＮＯ）、クリアボタン２３ｂが操作されたか否かを判断する（Ｓ４０）。制御部２０は、クリアボタン２３ｂが操作されたと判断した場合（Ｓ４０：ＹＥＳ）、対応する所定の制御信号を記録再生装置１へ送信し（Ｓ４１）、ステップＳ３１の処理に戻って再度、集音部２４により音声データを取得する（Ｓ３１）。
【００９８】
クリアボタン２３ｂに対応する所定の制御信号を受信した記録再生装置１の制御部１０は、制御信号に従って、録画番組リストのタイトル欄３５ｃのタイトルを削除して液晶テレビ３の表示部３５に表示させるための表示用データを液晶テレビ３へ転送する（Ｓ４２）。液晶テレビ３の制御部３０は、取得した表示用データに基づいて、タイトル欄３５ｃのタイトルを削除した録画番組リストを表示部３５に表示させる（Ｓ４３）。
【００９９】
制御部２０は、ステップＳ３９で決定ボタンが操作されたと判断した場合（Ｓ３９：ＹＥＳ）、対応する所定の制御信号を記録再生装置１へ送信し（Ｓ４４）、記録再生装置１の制御部１０は、受信した制御信号に従って、録画番組リストのタイトル欄３５ｃに表示されたタイトル（リモコン装置２から取得した文字データ）を、ユーザにより選択された放送番組の番組データのファイル名として付加してＨＤＤ１５に記録させて（Ｓ４５）処理を終了する。
【０１００】
上述したように、本実施の形態２の記録再生装置１においても、チューナ１４で取得してＨＤＤ１６に記録させる放送番組に任意のタイトルを付加することができる。また、ユーザは、このように付加されたタイトルに基づいて所望の録画番組を容易に検索することができる。また、本実施の形態２の記録再生装置１では、入力した音声データの文字データへの変換処理をリモコン装置２が行ない、リモコン装置２において決定された文字データ（ファイル名、タイトル）を記録再生装置１へ送信することができるため、タイトル入力の際の処理時間を短縮することができる。なお、上述した実施の形態２における記録再生装置１においても、上述の実施の形態１で説明した変形例と同様の変形例の適用が可能である。
【図面の簡単な説明】
【０１０１】
【図１】実施の形態１に係る記録システムの構成例を示す模式図である。
【図２】実施の形態１に係る記録システムの構成例を示すブロック図である。
【図３】録画番組リストの構成例を示す模式図である。
【図４】実施の形態１の記録再生装置による放送番組のファイル名の付加処理の手順を示すフローチャートである。
【図５】実施の形態１の記録再生装置による放送番組のファイル名の付加処理の手順を示すフローチャートである。
【図６】実施の形態２に係る記録システムの構成例を示す模式図である。
【図７】実施の形態２に係る記録システムの構成例を示すブロック図である。
【図８】実施の形態２の記録再生装置による放送番組のファイル名の付加処理の手順を示すフローチャートである。
【図９】実施の形態２の記録再生装置による放送番組のファイル名の付加処理の手順を示すフローチャートである。
【符号の説明】
【０１０２】
１  記録再生装置（記録装置）
１０  制御部（記録処理部、サムネイル画像作成手段）
１４  チューナ（受信部）
１５  ＨＤＤ（記録部）
１６  文字変換部（文字変換手段）
１７  音声変換部（音声変換手段）
１８  接続部（画像データ出力手段）
１９  無線通信インタフェース（音声データ取得手段）
２  リモコン装置（遠隔操作機）
２０  制御部
２４  集音部（音声データ作成手段）
２５  無線通信インタフェース（音声データ送出手段、文字データ送出手段）
３  液晶テレビ
３５  表示部
３６  スピーカ（音声データ出力部）
【図１】
2005277955.tif 000003
【図２】
2005277955.tif 000004
【図３】
2005277955.tif 000005
【図４】
2005277955.tif 000006
【図５】
2005277955.tif 000007
【図６】
2005277955.tif 000008
【図７】
2005277955.tif 000009
【図８】
2005277955.tif 000010
【図９】
2005277955.tif 000011